(57)【要約】本開示のある態様は、例えばリレー・ノード（ＲＮ）のようなノードの制御情報のための探索スペースを設計、生成、およびモニタリングするための方法および装置を提供する。この制御情報は、中継物理ダウンリンク制御チャネル（Ｒ−ＰＤＣＣＨ）を備えうる。検索スペース設計は、周波数ダイバーシティまたは周波数選択性を高めるために、連続的であるが、物理的に分散された送信リソース・ユニット（例えば、物理リソース・ブロック（ＰＲＢ））を使用しうる。ある態様の場合、２つの隣接するスロットにおよぶ送信リソース・ユニットのペアは、同じ仮想リソース・ブロック（ＶＲＢ）インデクスを有しうる。
2013541254.tif 000002
【特許請求の範囲】
【請求項１】
無線通信のための方法であって、
ノードの制御情報を伝送するために、送信リソース・ユニットの第１のシーケンスを割り当てることと、ここで、前記第１のシーケンスは連続的である；
前記送信リソース・ユニットの第２のシーケンスを生成するために、前記送信リソース・ユニットの第１のシーケンスを再アレンジすることと、ここで、再アレンジ後に、前記第１のシーケンスから、個々の送信リソース・ユニットが、前記第２のシーケンス内に物理的に分散される；
前記送信リソース・ユニットの第２のシーケンスのうちの少なくとも一部を用いて、前記ノードの制御情報を送信することと；
を備える方法。
【請求項２】
前記ノードの制御情報は、中継物理ダウンリンク制御チャネル（Ｒ−ＰＤＣＣＨ）を備える、請求項１に記載の方法。
【請求項３】
前記Ｒ−ＰＤＣＣＨは、共通基準信号（ＣＲＳ）ベースのＲ−ＰＤＣＣＨを備える、請求項２に記載の方法。
【請求項４】
前記Ｒ−ＰＤＣＣＨは、ノード特有基準信号ベースのＲ−ＰＤＣＣＨを備える、請求項２に記載の方法。
【請求項５】
前記送信リソース・ユニットは、物理リソース・ブロック（ＰＲＢ）を備える、請求項１に記載の方法。
【請求項６】
前記ＰＲＢの各々は、１つの制御チャネル要素（ＣＣＥ）として考慮される、請求項５に記載の方法。
【請求項７】
前記ノードの制御情報は、１つ、２つ、４つ、または８つのＣＣＥを備える、請求項６に記載の方法。
【請求項８】
前記再アレンジすることは、周波数分散されたデータのマッピング・スキームに対応する、請求項１に記載の方法。
【請求項９】
前記再アレンジすることは、周波数ダイバーシティまたは周波数選択性を高める、請求項１に記載の方法。
【請求項１０】
前記第１のシーケンスは、送信リソース・ユニットの１または複数のペアを備え、
前記再アレンジすることは、前記第２のシーケンスを生成するために、前記第１のシーケンスを再アレンジすることを備え、
前記第２のシーケンスにおける送信リソース・ユニットの各ペアについて、ペアの第１のメンバが、ペアの第２のメンバと同じシーケンス・インデクスを有する、請求項１に記載の方法。
【請求項１１】
前記シーケンス・インデクスが、仮想リソース・ブロック（ＶＲＢ）インデクスを備える、請求項１０に記載の方法。
【請求項１２】
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、請求項１０に記載の方法。
【請求項１３】
前記ノードは、半デュプレクス・リレー・ノードである、請求項１に記載の方法。
【請求項１４】
無線通信のための装置であって、
ノードの制御情報を伝送するために、送信リソース・ユニットの第１のシーケンスを割り当て、ここで、前記第１のシーケンスは連続的である；
前記送信リソース・ユニットの第２のシーケンスを生成するために、前記送信リソース・ユニットの第１のシーケンスを再アレンジする、ここで、再アレンジ後に、前記第１のシーケンスから、個々の送信リソース・ユニットが、前記第２のシーケンス内に物理的に分散される；
ように構成された処理システムと、
前記送信リソース・ユニットの第２のシーケンスのうちの少なくとも一部を用いて、前記ノードの制御情報を送信するように構成された送信機と、
を備える装置。
【請求項１５】
前記ノードの制御情報は、中継物理ダウンリンク制御チャネル（Ｒ−ＰＤＣＣＨ）を備える、請求項１４に記載の装置。
【請求項１６】
前記Ｒ−ＰＤＣＣＨは、共通基準信号（ＣＲＳ）ベースのＲ−ＰＤＣＣＨを備える、請求項１５に記載の装置。
【請求項１７】
前記Ｒ−ＰＤＣＣＨは、ノード特有基準信号ベースのＲ−ＰＤＣＣＨを備える、請求項１５に記載の装置。
【請求項１８】
前記送信リソース・ユニットは、物理リソース・ブロック（ＰＲＢ）を備える、請求項１４に記載の装置。
【請求項１９】
前記ＰＲＢの各々は、１つの制御チャネル要素（ＣＣＥ）として考慮される、請求項１８に記載の装置。
【請求項２０】
前記ノードの制御情報は、１つ、２つ、４つ、または８つのＣＣＥを備える、請求項１９に記載の装置。
【請求項２１】
前記再アレンジすることは、周波数分散されたデータのマッピング・スキームに対応する、請求項１４に記載の装置。
【請求項２２】
前記再アレンジすることは、周波数ダイバーシティまたは周波数選択性を高める、請求項１４に記載の装置。
【請求項２３】
前記第１のシーケンスは、送信リソース・ユニットの１または複数のペアを備え、
前記再アレンジすることは、前記第２のシーケンスを生成するために、前記第１のシーケンスを再アレンジすることを備え、
前記第２のシーケンスにおける送信リソース・ユニットの各ペアについて、ペアの第１のメンバが、ペアの第２のメンバと同じシーケンス・インデクスを有する、請求項１４に記載の装置。
【請求項２４】
前記シーケンス・インデクスが、仮想リソース・ブロック（ＶＲＢ）インデクスを備える、請求項２３に記載の装置。
【請求項２５】
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、請求項２３に記載の装置。
【請求項２６】
前記ノードは、半デュプレクス・リレー・ノードである、請求項１４に記載の装置。
【請求項２７】
無線通信のための装置であって、
ノードの制御情報を伝送するために、送信リソース・ユニットの第１のシーケンスを割り当てる手段と、ここで、前記第１のシーケンスは連続的である；
前記送信リソース・ユニットの第２のシーケンスを生成するために、前記送信リソース・ユニットの第１のシーケンスを再アレンジする手段と、ここで、再アレンジ後に、前記第１のシーケンスから、個々の送信リソース・ユニットが、前記第２のシーケンス内に物理的に分散される；
前記送信リソース・ユニットの第２のシーケンスのうちの少なくとも一部を用いて、前記ノードの制御情報を送信する手段と；
を備える装置。
【請求項２８】
無線通信のためのコンピュータ・プログラム製品であって、
ノードの制御情報を伝送するために、送信リソース・ユニットの第１のシーケンスを割り当てることと、ここで、前記第１のシーケンスは連続的である；
前記送信リソース・ユニットの第２のシーケンスを生成するために、前記送信リソース・ユニットの第１のシーケンスを再アレンジすることと、ここで、再アレンジ後に、前記第１のシーケンスから、個々の送信リソース・ユニットが、前記第２のシーケンス内に物理的に分散される；
前記送信リソース・ユニットの第２のシーケンスのうちの少なくとも一部を用いて、前記ノードの制御情報を送信することと；
のためのコードを備えるコンピュータ読取可能な媒体、
を備えるコンピュータ・プログラム製品。
【請求項２９】
無線通信のための方法であって、
ノードの制御情報のために割り当てられた送信リソース・ユニットの第１のシーケンスを受信することと、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に物理的に分散される；
前記送信リソース・ユニットの第１のシーケンスから、前記制御情報を決定することと；
前記制御情報に基づいてデータを発見することと；
を備える方法。
【請求項３０】
前記ノードの制御情報は、中継物理ダウンリンク制御チャネル（Ｒ−ＰＤＣＣＨ）を備える、請求項２９に記載の方法。
【請求項３１】
前記Ｒ−ＰＤＣＣＨは、共通基準信号（ＣＲＳ）ベースのＲ−ＰＤＣＣＨを備える、請求項３０に記載の方法。
【請求項３２】
前記Ｒ−ＰＤＣＣＨは、ノード特有基準信号ベースのＲ−ＰＤＣＣＨを備える、請求項３０に記載の方法。
【請求項３３】
前記送信リソース・ユニットは、物理リソース・ブロック（ＰＲＢ）を備える、請求項２９に記載の方法。
【請求項３４】
前記ＰＲＢの各々は、１つの制御チャネル要素（ＣＣＥ）として考慮される、請求項３３に記載の方法。
【請求項３５】
前記決定することは、２つの異なるダウンリンク制御情報（ＤＣＩ）フォーマット・サイズを有する１つ、２つ、４つ、または８つのＣＣＥを用いて前記ノードの制御情報を決定することを備える、請求項３４に記載の方法。
【請求項３６】
前記第１のシーケンスは、送信リソース・ユニットの１または複数のペアを備え、
前記第１のシーケンスにおける送信リソース・ユニットの各ペアについて、ペアの第１のメンバが、ペアの第２のメンバと同じシーケンス・インデクスを有する、請求項２９に記載の方法。
【請求項３７】
前記シーケンス・インデクスが、仮想リソース・ブロック（ＶＲＢ）インデクスを備える、請求項３６に記載の方法。
【請求項３８】
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、請求項３６に記載の方法。
【請求項３９】
前記送信リソース・ユニットのうちの少なくとも１つのペアの第２のメンバから、アップリンク（ＵＬ）リソースの許可を決定することと、
前記ＵＬリソースの許可にしたがってＵＬデータを送信することと、
をさらに備える請求項３６に記載の方法。
【請求項４０】
前記ノードは、半デュプレクス・リレー・ノードである、請求項２９に記載の方法。
【請求項４１】
前記制御情報を決定することは、異なる復号候補および異なるフォーマット・サイズのうちの少なくとも１つを用いて前記制御情報を決定することを備える、請求項２９に記載の方法。
【請求項４２】
前記データを発見することは、ダウンリンク（ＤＬ）データを、前記制御情報が受信されたサブフレームと同じサブフレーム内で、または、後続するサブフレーム内で発見することを備える、請求項２９に記載の方法。
【請求項４３】
無線通信のための装置であって、
前記装置の制御情報のために割り当てられた送信リソース・ユニットの第１のシーケンスを受信するように構成された受信機と、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に物理的に分散される；
前記送信リソース・ユニットの第１のシーケンスから、前記制御情報を決定し、前記制御情報に基づいてデータを発見するように構成された処理システムと；
を備える装置。
【請求項４４】
前記装置の制御チャネルは、中継物理ダウンリンク制御チャネル（Ｒ−ＰＤＣＣＨ）を備える、請求項４３に記載の装置。
【請求項４５】
前記Ｒ−ＰＤＣＣＨは、共通基準信号（ＣＲＳ）ベースのＲ−ＰＤＣＣＨを備える、請求項４４に記載の装置。
【請求項４６】
前記Ｒ−ＰＤＣＣＨは、ノード特有基準信号ベースのＲ−ＰＤＣＣＨを備える、請求項４４に記載の装置。
【請求項４７】
前記送信リソース・ユニットは、物理リソース・ブロック（ＰＲＢ）を備える、請求項４３に記載の装置。
【請求項４８】
前記ＰＲＢの各々は、１つの制御チャネル要素（ＣＣＥ）として考慮される、請求項４７に記載の装置。
【請求項４９】
前記処理システムはさらに、２つの異なるダウンリンク制御情報（ＤＣＩ）フォーマット・サイズを有する１つ、２つ、４つ、または８つのＣＣＥを用いて前記装置の制御情報を決定するように構成された、請求項４８に記載の装置。
【請求項５０】
前記第１のシーケンスは、送信リソース・ユニットの１または複数のペアを備え、
前記第１のシーケンスにおける送信リソース・ユニットの各ペアについて、ペアの第１のメンバが、ペアの第２のメンバと同じシーケンス・インデクスを有する、請求項４３に記載の装置。
【請求項５１】
前記シーケンス・インデクスが、仮想リソース・ブロック（ＶＲＢ）インデクスを備える、請求項５０に記載の装置。
【請求項５２】
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、請求項５０に記載の装置。
【請求項５３】
送信機をさらに備え、
前記処理システムは、前記送信リソース・ユニットのうちの少なくとも１つのペアの第２のメンバから、アップリンク（ＵＬ）リソースの許可を決定するように構成され、
前記送信機は、前記ＵＬリソースの許可にしたがってＵＬデータを送信するように構成された、請求項５０に記載の装置。
【請求項５４】
前記装置は、半デュプレクス・リレー・ノードである、請求項４３に記載の装置。
【請求項５５】
前記処理システムは、異なる復号候補および異なるフォーマット・サイズのうちの少なくとも１つを用いて前記制御情報を決定するように構成された、請求項４３に記載の装置。
【請求項５６】
前記処理システムは、ダウンリンク（ＤＬ）データを、前記制御情報が受信されたサブフレームと同じサブフレーム内で、または、後続するサブフレーム内で発見することによって、前記前記データを発見するように構成された、請求項４３に記載の装置。
【請求項５７】
無線通信のための装置であって、
前記装置の制御情報のために割り当てられた送信リソース・ユニットの第１のシーケンスを受信する手段と、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に物理的に分散される；
前記送信リソース・ユニットの第１のシーケンスから、前記制御情報を決定する手段と；
前記制御情報に基づいてデータを発見する手段と；
を備える装置。
【請求項５８】
無線通信のためのコンピュータ・プログラム製品であって、
ノードの制御情報のために割り当てられた送信リソース・ユニットの第１のシーケンスを受信することと、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に物理的に分散される；
前記送信リソース・ユニットの第１のシーケンスから、前記制御情報を決定することと；
前記制御情報に基づいてデータを発見することと；
のためのコードを備えるコンピュータ読取可能な媒体を備える、
コンピュータ・プログラム製品。
【発明の詳細な説明】
【関連出願に対する相互参照】
【０００１】
本願は、２０１０年８月１６日に出願された米国仮特許出願６１／３７４，２０７号の利益を主張する。この開示は、参照によって本明細書に明確に組み込まれている。
【技術分野】
【０００２】
本開示のある態様は、一般に、無線通信に関し、さらに詳しくは、中継物理ダウンリンク制御チャネル（Ｒ−ＰＤＣＣＨ）のための探索スペースに関する。
【背景技術】
【０００３】
無線通信システムは、例えば音声、ビデオ、パケット・データ、メッセージング、ブロードキャスト等のようなさまざまなタイプの通信サービスを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）ネットワーク、第３世代パートナシップ計画（３ＧＰＰ）ロング・ターム・イボリューション（ＬＴＥ）ネットワーク、およびロング・ターム・イボリューション・アドバンスト（ＬＴＥ−Ａ）ネットワークを含む。
【０００４】
無線通信ネットワークは、多くのユーザ機器デバイス（ＵＥ）との通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。基地局は、ダウンリンクでＵＥへデータおよび制御情報を送信し、および／または、アップリンクでＵＥからデータおよび制御情報を受信しうる。この通信リンクは、単一入力単一出力システム、複数入力単一出力システム、あるいは複数入力複数出力（ＭＩＭＯ）システムによって確立されうる。
【０００５】
無線通信システムは、例えばリレー基地局のようなリレー・ノードを介して無線端末と通信するドナー基地局を備えうる。リレー・ノードは、バックホール・リンクを介してドナー基地局と通信し、アクセス・リンクを介して端末と通信しうる。言い換えれば、リレー・ノードは、バックホール・リンクを介してドナー基地局からダウンリンク・メッセージを受信し、これらメッセージを、アクセス・リンクを介して端末へ中継しうる。同様に、リレー・ノードは、アクセス・リンクを介して端末からアップリンク・メッセージを受信し、これらメッセージを、バックホール・リンクを介してドナー基地局へ中継しうる。リレー・ノードは、有効通信範囲エリアを補足し、かつ「有効通信範囲ホール」を埋めることを支援する。
【発明の概要】
【０００６】
本開示のある態様は一般に、例えばリレー・ノード（ＲＮ）のようなノードの制御情報のための探索スペースを設計、生成、およびモニタリングすることに関する。この制御チャネルは、中継物理ダウンリンク制御チャネル（Ｒ−ＰＤＣＣＨ）を備えうる。
【０００７】
本開示の態様では、無線通信のための方法が提供される。この方法は一般に、ノードの制御情報を伝送するために、送信リソース・ユニットの第１のシーケンスを割り当てることと、ここで、第１のシーケンスは連続的である；送信リソース・ユニットの第２のシーケンスを生成するために、送信リソース・ユニットの第１のシーケンスを再アレンジすることと、ここで、再アレンジ後に、第１のシーケンスから、個々の送信リソース・ユニットが、第２のシーケンス内に物理的に分散される；送信リソース・ユニットの第２のシーケンスのうちの少なくとも一部を用いて、ノードの制御情報を送信することと；を含む。
【０００８】
本開示の態様では、無線通信のための装置が提供される。この装置は一般に、処理システムと送信機とを含む。処理システムは一般に、ノードの制御情報を伝送するために、送信リソース・ユニットの第１のシーケンスを割り当て、ここで、第１のシーケンスは連続的である；送信リソース・ユニットの第２のシーケンスを生成するために、送信リソース・ユニットの第１のシーケンスを再アレンジする、ここで、再アレンジ後に、第１のシーケンスから、個々の送信リソース・ユニットが、第２のシーケンス内に物理的に分散される；ように構成されている。送信機は一般に、送信リソース・ユニットの第２のシーケンスのうちの少なくとも一部を用いて、ノードの制御情報を送信するように構成されている。
【０００９】
本開示の態様では、無線通信のための装置が提供される。この装置は一般に、ノードの制御情報を伝送するために、送信リソース・ユニットの第１のシーケンスを割り当てる手段と、ここで、第１のシーケンスは連続的である；送信リソース・ユニットの第２のシーケンスを生成するために、送信リソース・ユニットの第１のシーケンスを再アレンジする手段と、ここで、再アレンジ後に、第１のシーケンスから、個々の送信リソース・ユニットが、第２のシーケンス内に物理的に分散される；送信リソース・ユニットの第２のシーケンスのうちの少なくとも一部を用いて、ノードの制御情報を送信する手段と；を含む。
【００１０】
本開示の態様では、無線通信のためのコンピュータ・プログラム製品が提供される。このコンピュータ・プログラム製品は、一般に、ノードの制御情報を伝送するために、送信リソース・ユニットの第１のシーケンスを割り当てることと、ここで、第１のシーケンスは連続的である；送信リソース・ユニットの第２のシーケンスを生成するために、送信リソース・ユニットの第１のシーケンスを再アレンジすることと、ここで、再アレンジ後に、第１のシーケンスから、個々の送信リソース・ユニットが、第２のシーケンス内に物理的に分散される；送信リソース・ユニットの第２のシーケンスのうちの少なくとも一部を用いて、ノードの制御情報を送信することと；のためのコードを有するコンピュータ読取可能な媒体を含む。
【００１１】
本開示の態様では、無線通信のための方法が提供される。この方法は一般に、ノードの制御情報のために割り当てられた送信リソース・ユニットの第１のシーケンスを受信することと、ここで、送信リソース・ユニットの第１のシーケンスは、送信リソース・ユニットの第２のシーケンスのうちの少なくとも一部から再アレンジされており、第２のシーケンスは連続的であり、第２のシーケンスからの個々の送信リソース・ユニットは、受信されたように、第１のシーケンス内に物理的に分散される；送信リソース・ユニットの第１のシーケンスから、制御情報を決定することと；制御情報に基づいてデータを発見することと；を含む。
【００１２】
本開示の態様では、無線通信のための装置が提供される。この装置は一般に、受信機と処理システムとを含んでいる。受信機は一般に、装置の制御情報のために割り当てられた送信リソース・ユニットの第１のシーケンスを受信する、ここで、送信リソース・ユニットの第１のシーケンスは、送信リソース・ユニットの第２のシーケンスのうちの少なくとも一部から再アレンジされており、第２のシーケンスは連続的であり、第２のシーケンスからの個々の送信リソース・ユニットは、受信されたように、第１のシーケンス内に物理的に分散される、ように構成される。処理システムは、一般に、送信リソース・ユニットの第１のシーケンスから、制御情報を決定し、制御情報に基づいてデータを発見する、ように構成されている。
【００１３】
本開示の態様では、無線通信のための装置が提供される。この装置は一般に、装置の制御情報のために割り当てられた送信リソース・ユニットの第１のシーケンスを受信する手段と、ここで、送信リソース・ユニットの第１のシーケンスは、送信リソース・ユニットの第２のシーケンスのうちの少なくとも一部から再アレンジされており、第２のシーケンスは連続的であり、第２のシーケンスからの個々の送信リソース・ユニットは、受信されたように、第１のシーケンス内に物理的に分散される；送信リソース・ユニットの第１のシーケンスから、制御情報を決定する手段と；制御情報に基づいてデータを発見する手段と；を含む。
【００１４】
本開示の態様では、無線通信のためのコンピュータ・プログラム製品が提供される。このコンピュータ・プログラム製品は、一般に、ノードの制御情報のために割り当てられた送信リソース・ユニットの第１のシーケンスを受信し、ここで、送信リソース・ユニットの第１のシーケンスは、送信リソース・ユニットの第２のシーケンスのうちの少なくとも一部から再アレンジされており、第２のシーケンスは連続的であり、第２のシーケンスからの個々の送信リソース・ユニットは、受信されたように、第１のシーケンス内に物理的に分散される；送信リソース・ユニットの第１のシーケンスから、制御情報を決定し；制御情報に基づいてデータを発見する；ためのコードを有するコンピュータ読取可能な媒体を含む。
【図面の簡単な説明】
【００１５】
本開示の特徴、特性、および利点は、同一の参照符号が全体を通じて同一物を特定している図面とともに考慮された場合、以下に記載する詳細な記載からより明らかになるだろう。
【図１】図１は、本開示の態様にしたがう無線通信システムの例を例示する。
【図２】図２は、本開示の態様にしたがって、無線通信システムにおいて、ユーザ機器デバイス（ＵＥ）と通信しているノードＢの例を概念的に例示するブロック図である。
【図３】図３は、本開示の態様にしたがうリレー・ノードを備えた無線通信システムの例を図示する。
【図４】図４は、本開示の態様にしたがう中継物理ダウンリンク制御チャネル（Ｒ−ＰＤＣＣＨ）サブフレームの例を例示する。
【図５】図５は、本開示の態様にしたがって周波数において物理的に分散される、物理リソース・ブロック（ＰＲＢ）への論理リソース・ブロックのマッピングの例を例示する。
【図６】図６は、本開示の態様にしたがって、２つの異なるスロットにおけるＰＲＢのペアが、同じ仮想リソース・ブロック（ＶＲＢ）インデクスを有する、ＰＲＢへの論理リソース・ブロックのマッピングの別の例を例示する。
【図７】図７は、本開示の態様にしたがって、送信リソース・ユニットの再アレンジされたシーケンスを用いて、ノードの制御情報を送信するための動作の例のフロー図である。
【図７Ａ】図７Ａは、図７に例示された動作を実行することが可能な構成要素の例を例示する。
【図８】図８は、本開示の態様にしたがって、送信リソース・ユニットの再アレンジされたシーケンスから、ノードの制御情報を決定するための動作の例のフロー図である。
【図８Ａ】図８Ａは、図８に例示された動作を実行することが可能な構成要素の例を図示する。
【発明を実施するための形態】
【００１６】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ｃｄｍａ２０００は、「第３世代パートナシップ計画２」（３ＧＰＰ２）と命名された団体からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１７】
シングル・キャリア周波数分割多元接続（ＳＣ−ＦＤＭＡ）は、シングル・キャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは現在、３ＧＰＰロング・ターム・イボリューション（ＬＴＥ）またはイボルブドＵＴＲＡにおけるアップリンク多元接続スキームのための動作前提である。
【００１８】
（典型的な無線通信システム）  
図１に示すように、１つの実施形態にしたがう多元接続無線通信システムが例示される。アクセス・ポイント１００（ＡＰ）は、複数のアンテナ・グループを含んでおり、１つのグループは、アンテナ１０４およびアンテナ１０６を含み、別のグループは、アンテナ１０８およびアンテナ１１０を含み、さらに別のグループは、アンテナ１１２およびアンテナ１１４を含む。図１では、２本のアンテナだけが各アンテナ・グループのために示されている。しかしながら、２より多い、または、２より少ないアンテナも、おのおののアンテナ・グループのために利用されうる。アクセス端末１１６（ＡＴ）はアンテナ１１２，１１４と通信しており、アンテナ１１２，１１４は、順方向リンク１２０でアクセス端末１１６へ情報を送信し、逆方向リンク１１８でアクセス端末１１６から情報を受信する。アクセス端末１２２は、アンテナ１０６，１０８と通信しており、アンテナ１０６，１０８は、順方向リンク１２６でアクセス端末１２２へ情報を送信し、逆方向リンク１２４でアクセス端末１２２から情報を受信する。ＦＤＤシステムでは、通信リンク１１８，１２０，１２４，１２６は、通信のために異なる周波数を使用しうる。例えば、順方向リンク１２０は、逆方向リンク１１８によって使用されるものとは異なる周波数を使用しうる。
【００１９】
通信するように設計された領域および／またはアンテナのおのおののグループは、しばしば、アクセス・ポイントのセクタと称される。１つの態様では、アンテナ・グループは各々、アクセス・ポイント１００によってカバーされた領域のセクタ内のアクセス端末に通信するように設計される。
【００２０】
順方向リンク１２０，１２６による通信では、アクセス・ポイント１００の送信アンテナは、別のアクセス端末１１６，１２２のための順方向リンクの信号対雑音比（ＳＮＲ）を改善するためにビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２１】
アクセス・ポイント（ＡＰ）は、端末と通信するために使用された固定局であり、基地局（ＢＳ）、ノードＢ、あるいはその他のいくつかの用語で称されうる。アクセス端末はまた、移動局（ＭＳ）、ユーザ機器（ＵＥ）、無線通信デバイス、端末、ユーザ端末（ＵＴ）、あるいはその他のいくつかの用語で呼ばれる。
【００２２】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリームのトラフィック・データが、データ・ソース２１２から送信（ＴＸ）データ・プロセッサ２１４に提供される。
【００２３】
態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２４】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、またはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２５】
すべてのデータ・ストリームの変調シンボルは、（例えば、ＯＦＤＭのための）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、このシンボルが送信されるアンテナへ、ビームフォーミング重みを適用する。
【００２６】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。送信された変調信号は、図２に例示されるように、例えば中継物理ダウンリンク制御チャネル（Ｒ−ＰＤＣＣＨ）２９８のようなリレー・ノードの制御情報を示しうる。
【００２７】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２８】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものに対して相補的である。
【００２９】
プロセッサ２７０は、前述したように、利用可能などの技術を利用するのかを定期的に決定する。さらに、プロセッサ２７０は、行列インデクス部およびランク値部を備えた逆方向リンク・メッセージを規定する。
【００３０】
逆方向リンク・メッセージは、通信リンクおよび／または受信されたデータ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３１】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどのプリコーディング行列を使用するかを決定するために、この抽出されたメッセージを処理する。
【００３２】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を備える。ページング制御チャネル（ＰＣＣＨ）は、ページング情報を転送するＤＬチャネルである。マルチキャスト制御チャネル（ＭＣＣＨ）は、１またはいくつかのＭＴＣＨのため、マルチメディア・ブロードキャストおよびマルチキャスト・サービス（ＭＢＭＳ）スケジューリングおよび制御情報を送信するために使用されるポイント・トゥ・マルチポイントＤＬチャネルである。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、ＲＲＣ接続を有するＵＥによって使用される、専用制御情報を送信するポイント・トゥ・ポイント双方向チャネルである。態様では、論理トラフィック・チャネルは、ユーザ情報の転送のために１つのＵＥに専用のポイント・トゥ・ポイント双方向チャネルである専用トラフィック・チャネル（ＤＴＣＨ）を備える。また、マルチキャスト・トラフィック・チャネル（ＭＴＣＨ）は、トラフィック・データを送信するためのポイント・トゥ・マルチポイントＤＬチャネルである。
【００３３】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されうるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００３４】
ＤＬ  ＰＨＹチャネルは以下を備える。  
共通パイロット・チャネル（ＣＰＩＣＨ）  
同期チャネル（ＳＣＨ）  
共通制御チャネル（ＣＣＣＨ）  
共有ＤＬ制御チャネル（ＳＤＣＣＨ）  
マルチキャスト制御チャネル（ＭＣＣＨ）  
共有ＵＬ割当チャネル（ＳＵＡＣＨ）  
アクノレッジメント・チャネル（ＡＣＫＣＨ）  
ＤＬ物理共有データ・チャネル（ＤＬ−ＰＳＤＣＨ）  
ＵＬ電力制御チャネル（ＵＰＣＣＨ）  
ページング・インジケータ・チャネル（ＰＩＣＨ）  
負荷インジケータ・チャネル（ＬＩＣＨ）
ＵＬ  ＰＨＹチャネルは以下を備える。  
物理ランダム・アクセス・チャネル（ＰＲＡＣＨ）  
チャネル品質インジケータ・チャネル（ＣＱＩＣＨ）  
アクノレッジメント・チャネル（ＡＣＫＣＨ）  
アンテナ・サブセット・インジケータ・チャネル（ＡＳＩＣＨ）  
共有要求チャネル（ＳＲＥＱＣＨ）  
ＵＬ物理共有データ・チャネル（ＵＬ−ＰＳＤＣＨ）  
ブロードキャスト・パイロット・チャネル（ＢＰＩＣＨ）
態様では、シングル・キャリア波形の低ＰＡＲ（所与の時間において、チャネルは、周波数において隣接しているか、あるいは一定の間隔をもって配置されている）特性を維持するチャネル構造が提供される。
【００３５】
本書の目的のために、以下の略語を適用する。  
ＡＭ          アクノレッジ・モード  
ＡＭＤ        アクノレッジ・モード・データ  
ＡＲＱ        自動反復要求  
ＢＣＣＨ      ブロードキャスト制御チャネル  
ＢＣＨ        ブロードキャスト・チャネル  
Ｃ−          制御−  
ＣＣＣＨ      共通制御チャネル  
ＣＣＨ        制御チャネル  
ＣＣＴｒＣＨ  符号化された合成伝送チャネル  
ＣＰ          サイクリック・プレフィクス  
ＣＲＣ        巡回冗長検査  
ＣＴＣＨ      共通トラフィック・チャネル  
ＤＣＣＨ      専用制御チャネル  
ＤＣＨ        専用チャネル  
ＤＬ          ダウンリンク  
ＤＬ−ＳＣＨ  ダウンリンク共有チャネル  
ＤＭ−ＲＳ    復調−基準信号  
ＤＳＣＨ      ダウンリンク共有チャネル  
ＤＴＣＨ      専用トラフィック・チャネル  
ＦＡＣＨ      順方向リンク・アクセス・チャネル  
ＦＤＤ        周波数分割デュプレクス  
Ｌ１          レイヤ１（物理レイヤ）  
Ｌ２          レイヤ２（データ・リンク・レイヤ）  
Ｌ３          レイヤ３（ネットワーク・レイヤ）  
ＬＩ          長さインジケータ  
ＬＳＢ        最下位ビット  
ＭＡＣ        媒体アクセス制御  
ＭＢＭＳ      マルチメディア・ブロードキャスト・マルチキャスト・サービス  
ＭＣＣＨ      ＭＢＭＳポイント・トゥ・マルチポイント制御チャネル  
ＭＲＷ        動き受信ウィンドウ  
ＭＳＢ        最上位ビット  
ＭＳＣＨ      ＭＢＭＳポイント・トゥ・マルチポイント・スケジューリング・チャネル  
ＭＴＣＨ      ＭＢＭＳポイント・トゥ・マルチポイント・トラフィック・チャネル  
ＰＣＣＨ      ページング制御チャネル  
ＰＣＨ        ページング・チャネル  
ＰＤＵ        プロトコル・データ・ユニット  
ＰＨＹ        物理レイヤ  
ＰｈｙＣＨ    物理チャネル  
ＲＡＣＨ      ランダム・アクセス・チャネル  
ＲＢ          リソース・ブロック  
ＲＬＣ        ラジオ・リンク制御  
ＲＲＣ        ラジオ・リソース制御  
ＳＡＰ        サービス・アクセス・ポイント  
ＳＤＵ        サービス・データ・ユニット  
ＳＨＣＣＨ    共有チャネル制御チャネル  
ＳＮ          シーケンス番号  
ＳＵＦＩ      スーパ・フィールド  
ＴＣＨ        トラフィック・チャネル  
ＴＤＤ        時分割デュプレクス  
ＴＦＩ        伝送フォーマット・インジケータ  
ＴＭ          透過モード  
ＴＭＤ        透過モード・データ  
ＴＴＩ        送信時間インタバル  
Ｕ−          ユーザ−  
ＵＥ          ユーザ機器  
ＵＬ          アップリンク  
ＵＭ          非アクノレッジ・モード  
ＵＭＤ        非アクノレッジ・モード・データ  
ＵＭＴＳ      ユニバーサル・モバイル通信システム  
ＵＴＲＡ      ＵＭＴＳ地上ラジオ・アクセス  
ＵＴＲＡＮ    ＵＭＴＳ地上ラジオ・アクセス・ネットワーク  
ＭＢＳＦＮ    マルチメディア・ブロードキャスト単一周波数ネットワーク  
ＭＣＥ        ＭＢＭＳ調整エンティティ  
ＭＣＨ        マルチキャスト・チャネル  
ＭＳＣＨ      ＭＢＭＳ制御チャネル  
ＰＤＣＣＨ    物理ダウンリンク制御チャネル  
ＰＤＳＣＨ    物理ダウンリンク共有チャネル  
ＰＲＢ        物理リソース・ブロック  
ＶＲＢ        仮想リソース・ブロック  
さらに、Ｒｅｌ−８は、ＬＴＥ規格のリリース８を称する。
【００３６】
（典型的なリレー・システム）  
図３は、本開示のある実施形態が実現されうる無線通信システム３００の例を示す。例示されるように、システム３００は、（リレー局またはリレーとしても知られている）リレー・ノード３０６を介してユーザ機器（ＵＥ）３０４と通信する、（ドナー・セル、ドナー・アクセス・ポイント（ＡＰ）またはドナー・イボルブド・ノードＢ（ＤｅＮＢ）としても知られている）ドナー基地局（ＢＳ）３０２を含む。
【００３７】
リレー・ノード３０６は、バックホール・リンク３０８を介してドナーＢＳ３０２と通信し、アクセス・リンク３１０を介してＵＥ３０４と通信しうる。言い換えれば、リレー・ノード３０６は、バックホール・リンク３０８を介してドナーＢＳ３０２からダウンリンク・メッセージを受信し、これらメッセージを、アクセス・リンク３１０を介してＵＥ３０４へ中継しうる。同様に、リレー基地局３０６は、アクセス・リンク３１０を介してＵＥ３０４からアップリンク・メッセージを受信し、これらメッセージを、バックホール・リンク３０８を介してドナーＢＳ３０２へ中継しうる。
【００３８】
したがって、リレー・ノード３０６は、有効通信範囲エリアを補足し、かつ「有効通信範囲ホール」を埋めることを支援する。ある態様によれば、リレー・ノード３０６は、ＵＥ３０４に、従来のＢＳとして見えることがある。他の態様によれば、あるタイプのＵＥは、リレー・ノードを認識しうる。それゆえ、これは、ある機能を可能にしうる。
【００３９】
（中継ＰＤＣＣＨのための探索スペース設計の例）  
リレー・ノード３０６は、ドナーＢＳ３０２から、通常のＰＤＣＣＨを受信できない場合がありうる。この場合、ドナーＢＳは、バックホール・リンク３０８を介して中継物理ダウンリンク制御チャネル（Ｒ−ＰＤＣＣＨ）２９８を送信しうる。Ｒ−ＰＤＣＣＨ２９８は、ドナーＢＳから、マルチメディア・ブロードキャスト単一周波数ネットワーク（ＭＢＳＦＮ）サブフレームまたは非ＭＢＳＦＮサブフレームで送信されうる。Ｒ−ＰＤＣＣＨは、（例えば、リレー・ノードのための物理アップリンク共有チャネル（ＰＵＳＣＨ）（Ｒ−ＰＵＳＣＨ）およびリレー・ノードのための物理ダウンリンク共有チャネル（ＰＤＳＣＨ）（Ｒ−ＰＤＳＣＨ）のような）ダウンリンク・バックホール・データのためのリソースを動的または半連続的に割り当てるように設計されている。
【００４０】
図４は、本開示の態様にしたがうバックホール・サブフレーム４００の例を例示する。バックホール・サブフレーム４００は、第１のスロット４０２と第２のスロット４０４とに分割される。ここで、おのおののスロットは、通常のサイクリック・プレフィクス（ＣＰ）の場合、ＬＴＥにおいて７つのシンボルを備える。ＬＴＥにおける各サブフレームは、１ミリ秒に及ぶので、各スロットは、０．５ミリ秒の持続時間を有する。バックホール・サブフレーム４００の最初の３つのシンボルは、物理制御フォーマット・インジケータ・チャネル（ＰＣＦＩＣＨ）、物理ＨＡＲＱインジケータ・チャネル（ＰＨＩＣＨ）、および通常の（すなわち、非リレー）ＰＤＣＣＨのために使用されうる。
【００４１】
さまざまなオプションは、バックホール・サブフレーム４００において情報を伝送するために利用可能である。例えば、ＤＬ許可が、第１のスロット４０２で送信される。ある態様の場合、ＤＬ許可が、所与の物理リソース・ブロック（ＰＲＢ）ペアの第１のＰＲＢで送信される場合、ＵＬ許可が、ＰＲＢペアの第２のＰＲＢで送信されうる。その他の態様の場合、データ（例えば、Ｒ−ＰＤＳＣＨデータ）が、Ｒ−ＰＤＣＣＨ  ＰＲＢペアの第２のスロット４０４で送信されうるか、または、第２のスロット４０４が空でありうる。
【００４２】
Ｒ−ＰＤＣＣＨに関する１つの問題は、Ｒ−ＰＤＣＣＨのための探索スペース設計を含む。ＬＴＥ  Ｒｅｌ−８では、ＰＤＣＣＨ復調は、共通基準信号（ＣＲＳ）に基づく。各ＵＥは、共通およびＵＥ特有という２つのタイプの探索スペースをモニタする。その結果、最大２２のＰＤＣＣＨ復号候補が可能でありうる。各ＰＤＣＣＨ復号候補について、２つの異なるダウンリンク制御情報（ＤＣＩ）サイズがあるので、結果として、最大４４のブラインド復号となる。各ＰＤＣＣＨは、特定のアグリゲーション・レベルを用いて送信されうる。ここで、（３６のＲＥに等しい、９つのリソース要素グループ（ＲＥＧ）を備える）制御チャネル要素（ＣＣＥ）が、最小単位でありうる。
【００４３】
共通の探索スペースの場合、例えば、４つおよび２つの復号候補をそれぞれ有する、４（ＣＣＥ）および８である２つのアグリゲーション・レベルがサポートされうる。ＵＥ特有の探索スペースの場合、例えば、６つ、６つ、２つ、および２つの復号候補をそれぞれ有する、１、２、４、および８である４つのアグリゲーション・レベルがサポートされうる。各探索スペースは、いわゆる「ツリー構造」にしたがう。ここでは、各アグリゲーション・レベルの開始ＣＣＥは、対応するレベルの整数倍でありうる。
【００４４】
ある態様によれば、ＣＲＳベースおよびＤＭ−ＲＳ（復調基準信号）ベースの両方のＲ−ＰＤＣＣＨ復調がサポートされうる。ＤＭ−ＲＳベースのＲ−ＰＤＣＣＨ復調の場合、物理リソース・ブロック（ＰＲＢ）ペアにおけるＤＬ許可およびＵＬ許可は、同じリレー・ノード（ＲＮ）用でありうる。言い換えれば、このようなＰＲＢペアにおけるＲＥは、異なるＲＮのために使用されない。一方、ＣＲＳベースのＲ−ＰＤＣＣＨ復調の場合、２つのインタリーブ・モード、すなわち、（１）Ｒｅｌ−８タイプＲＥＧレベル・インタリーブと、（２）ＰＲＢ内のＲ−ＰＤＣＣＨにわたる無インタリーブとがサポートされうる。
【００４５】
ＣＲＳを用いた、ＤＣＩフォーマット１Ａに基づくフォールバック動作が、リレー・バックホール動作のために示されうると判定されうる。１つの態様では、フォールバック動作を容易にするために、ドナーＢＳにおいて、少なくとも１つの非ＭＢＳＦＮサブフレームが、ＤＬバックホール・サブフレームの一部として構成されうる。すなわち、同じＬＴＥ  Ｒｅｌ−８送信ダイバーシティ・スキームが、ＤＣＩフォーマット１Ａに対応するＰＤＳＣＨ送信に適用されうる。これは、ドナーＢＳからの非ＭＢＳＦＮサブフレームにおいて使用されうる。
【００４６】
好適には、同じＬＴＥ  Ｒｅｌ−８探索スペース設計が、可能な限り多く維持されうる。例として、共通の探索スペースおよびＲＮ特有の探索スペースの両方がサポートされうる（共通の探索スペースは、第１のスロットにおいてのみ存在しうる）。これによって、ツリー構造ベースの探索スペースが維持されうる。別の例として、ＲＮ特有の探索スペースのみがサポートされうる。Ｒ−ＰＤＣＣＨブラインド復号の最大数は、例えば、共通の探索スペースでは、最大４つおよび２つの復号候補を持つ、アグリゲーション・レベル４および８と、ＲＮ特有の探索スペースでは、最大６つ、６つ、２つ、および２つの復号候補を持つ、アグリゲーション・レベル１、２、４、および８のように、ＬＴＥ  Ｒｅｌ−１０  ＵＥのＲ−ＰＤＣＣＨブラインド復号の最大数と同様に維持されうる。
【００４７】
ＲＥＧレベル・ベースのＲ−ＰＤＣＣＨインタリーブの場合、同じＲＥＧ定義およびＣＣＥ定義が適用されうる。ここでは、Ｒ−ＰＤＣＣＨのために利用可能なＲＥが、ＣＲＳおよびＣＳＩ−ＲＳ（チャネル状態情報基準信号）のＲＥを潜在的に無視しうる。
【００４８】
ＰＲＢにおいて、異なるＲ−ＰＤＣＣＨにわたるインタリーブがない場合、スロット境界におけるＤＬ許可およびＵＬ許可の固定的な分離、ＣＲＳ／ＤＭ−ＲＳ／ＣＳＩ−ＲＳの存在等によって、同じＣＣＥサイズ（３６ＲＥ）を維持することは可能ではないことがありうる。単純化のために、各ＰＲＢを、探索スペース設計の観点から、１つのＣＣＥとして定義することが合理的でありうる。一例として、ＣＲＳベースのＲ−ＰＤＣＣＨの場合、ＣＲＳおよびＣＳＩ−ＲＳの存在を考慮すると、ＰＲＢ毎のＲ−ＰＤＣＣＨ  ＲＥの最小数は、ＤＬ許可の場合、４＊１２−４−８＝３６（ＰＤＦＩＣＨ、ＰＨＩＣＨ、またはＰＤＣＣＨによって使用されない、第１のスロット４０２において利用可能な４つのシンボルと、ＰＲＢにおける１２のサブキャリア）であり、７＊１２−３＊４−８＝６４（第２のスロット４０４において利用可能な７つのシンボルと、ＰＲＢにおける１２のサブキャリア）である。ここでは、８ポートＣＳＩ−ＲＳが仮定され、他の信号については、ミュートされたＲＥは存在しない（例えば、近隣セルのＣＳＩ−ＲＳ）。ＤＭ−ＲＳベースのＲ−ＰＤＣＣＨの場合、ＤＭ−ＲＳ  ＲＥの存在によって、その数はそれぞれ２４および５２にさらに低減されうる。
【００４９】
ＲＥＧレベル・インタリーブの場合、ＬＴＥ  Ｒｅｌ−８と同じまたは類似のＲＥＧ定義およびＣＣＥ定義が適用されうる。ＲＥＧレベルのインタリーブの場合、ＣＣＥ数は、最低周波数から始まる、Ｒ−ＰＤＣＣＨ仮想リソース・ブロック（ＶＲＢ）の周波数に単純に基づきうる。ＶＲＢからＰＲＢへのマッピングは、ＰＤＳＣＨのものに類似しうる。特に、ＰＤＳＣＨのために定義された分散タイプの仮想リソース・ブロックの類似のマッピングが、ＣＲＳベースのＲ−ＰＤＣＣＨのために使用されうる。しかしながら、２つのスロットにおける異なるＰＲＢに対するマッピングの代わりに、同じＰＲＢペアに対して同じＶＲＢインデクスがマップされねばならない（すなわち、スロット・ホッピングは無い）。局所的なＲ−ＰＤＣＣＨリソース予約スキームと、分散的なＲ−ＰＤＣＣＨリソース予約スキームとの両方がサポートされうる。周波数ダイバース利点のために適切なＲ−ＰＤＣＣＨリソース予約スキームを選択するか、または、周波数選択性利点のために適切なＲ−ＰＤＣＣＨリソース予約スキームを選択するかは、ＤｅＮＢ次第でありうる。
【００５０】
図５は、本開示のある態様にしたがう分散型リソース割当を例示する。Ｐ＝２であるリソース・ブロック・グループ（ＲＢＧ）サイズに関連付けられた論理リソース・グリッド５００（例えば、ＶＲＢ行列）に例示されるように、Ｒ−ＰＤＣＣＨのために割り当てられたリソース・ブロック（ＲＢ）５０２は、グリッド５００の行にわたって書かれている場合、ＶＲＢインデクスにしたがって論理的に連続しうる。ダウンリンクＶＲＢの数（Ｎ’ＲＢ＝２０）が、列の数（Ｎｃｏｌ＝４）が乗じられた列の数（Ｎｒｏｗ＝６）未満である場合、ヌルの数（Ｎｎｕｌｌ）５０８が、グリッド５００の第２列および第４列の最後のＮｎｕｌｌ／２行に挿入され、グリッドが完成する。ＲＢのこの第１のシーケンスは、リソース・ブロック・インデクス０，１，２，３，４・・・を有しうる。しかしながら、例示されるように、第１のスロット４０２および第２のスロット４０４において、バックホール・サブフレーム５０６内のＰＲＢにマップされたＲＢ５０２は、不連続的でありうる（すなわち、物理的に分散されている）。このマッピングの後、ＲＢの第２のシーケンスは、リソース・ブロック・インデクス０，４，８，１２，１６・・・を有しうる。さらに、あるＲＢ９０８（説明のために、ＲＢ１０およびＲＢ１１とする）は、ＵＥの物理共有データ・チャネルのための分散リソース割当においてアドレスされない。ある態様によれば、制御チャネルのＲＢの位置は、これらのＲＢの周りに集中しうる。
【００５１】
図６は、ＰＲＢへの論理リソース・ブロックの別の例のマッピングを例示する。ここでは、本開示の態様にしたがって、バックホール・サブフレーム６００の第１のスロット４０２および第２のスロット４０４におけるＰＲＢの各ペア６０２のメンバは、同じＶＲＢインデクスを有する。言い換えれば、第１のスロット４０２および第２のスロット４０４における両方のＲＢは、同じＶＲＢインデクスを有する。例えば、周波数ダイバーシティまたは周波数選択性を一般的に増加させるために、ＶＲＢ対ＰＲＢマッピングの他の定義も可能である。
【００５２】
ＬＴＥ  Ｒｅｌ−８におけるように、共通の探索スペースは、最初のＣＣＥから始まりうる一方、ＲＮ特有の探索スペースは、利用可能なＣＣＥの数、ＲＮ  ＩＤ、アグリゲーション・レベル、サブフレーム・インデクス、および予め定められたランダム・シードに基づいて導出されうる。ＤＬ許可およびＵＬ許可に対して、同じＲＮ特有の探索スペース設計が適用されうる。
【００５３】
ごく少数のリレーしかない場合、Ｒ−ＰＤＣＣＨのために予約されたＰＲＢペアの数は、８よりも著しく少なくなりうる。これによって、アグリゲーション・レベル８をサポートすることは困難または不可能となりうる。Ｒ−ＰＤＣＣＨのためのＰＲＢペアの数が４未満である場合、実質的に、いかなる共通の探索スペースも存在しないことがありうる。しかしながら、これは問題ではなく、ｅＮＢ実装次第でありうる。なぜなら、このようなシナリオでは、ブロードキャストとユニキャストとの間の送信効率の差が、非常に小さくなりうるからである。
【００５４】
本明細書で示されたある態様は、Ｒ−ＰＤＣＣＨ探索スペース設計の例の詳細を提供する。ＬＴＥ  Ｒｅｌ−８と同じまたは類似の設計が、最小の仕様および実装インパクトで維持されうる。特に、本明細書では、以下の態様が提供されている。共通の探索スペースとＲＮ特有の探索スペースとの両方がサポートされており、ここで、共通の探索スペースは、第１のスロットに存在し、同じＲＮ特有の探索スペース設計が、ＤＬ許可とＵＬ許可とに適用されうる。ツリー構造ベースの探索スペースもまた維持されうる。ＣＲＳベースのＲ−ＰＤＣＣＨの場合、同じＬＴＥ  Ｒｅｌ−８  ＲＥＧ定義およびＣＣＥ定義が適用されうる。ＲＥＧレベルＲ−ＰＤＣＣＨインタリーブが無い場合、各ＰＲＢは、１つのＣＣＥとして取り扱われ、ＣＣＥは、最低周波数から始まる、Ｒ−ＰＤＣＣＨ  ＶＲＢの周波数に基づいて付番されうる。ＶＲＢからＰＲＢへのマッピングは、同じＶＲＢインデクスが同じＰＲＢペアへマッピングされねばならない（すなわち、スロット・ホッピングのない）ＰＤＳＣＨの場合のものと類似しうる。Ｒ−ＰＤＣＣＨブラインド復号の最大数はまた、ＬＴＥ  Ｒｅｌ−１０  ＵＥのものに類似しうる。例えば、それぞれ最大４つおよび２つの復号候補を持つ、共通の探索スペース・アグリゲーション・レベル４および８が、サポートされうる。それぞれ最大６つ、６つ、２つ、および２つの復号候補を持つ、ＲＮ特有の探索スペース・アグリゲーション・レベル１、２、４、８もまたサポートされうる。
【００５５】
図７は、本開示の態様にしたがって、送信シーケンス・ユニットの再アレンジされたシーケンスを用いて、ノードの制御情報を送信するための動作７００の例のフロー図である。ノードの制御情報は、ＣＲＳベースまたはＲＮ特有の基準信号ベースでありうる、Ｒ−ＰＤＣＣＨを備えうる。例えば、この動作７００は、ドナーｅＮＢ（ＤｅＮＢ）によって実行されうる。ノードは、例えば、半デュプレクス・リレー・ノードのようなリレー・ノードを備えうる。
【００５６】
この動作は、７０２において、ノードの制御情報を伝送するために、送信リソース・ユニットの第１のシーケンスを割り当てることによって始まりうる。送信リソース・ユニットの第１のシーケンスは、（例えば、論理的に、または周波数において）連続的でありうる。送信リソース・ユニットは、ＰＲＢを備えうる。そして、ＰＲＢの各々は、１つのＣＣＥとして考慮されうる。
【００５７】
７０４では、例えば、図５または図６で例示されるように、送信リソース・ユニットの第２のシーケンスを生成するために、送信リソース・ユニットの第１のシーケンスが再アレンジされうる。第１のシーケンスからの個々の送信リソース・ユニットは、７０４において、第２のシーケンス内に（周波数において）物理的に分散されうる。この再アレンジは、周波数的に分散されたデータのためのマッピング・スキームに対応し、周波数ダイバーシティまたは周波数選択性を高めうる。
【００５８】
ある態様の場合、第１のシーケンスは、送信リソース・ユニットの１または複数のペアを備えうる。この場合、再アレンジすることは、第２のシーケンスを生成するために、第１のシーケンスを再アレンジすることを備えうる。ここでは、第２のシーケンスにおける送信リソース・ユニットの各ペアについて、ペアの第１のメンバが、ペアの第２のメンバと同じシーケンス・インデクスを有する。シーケンス・インデクスは、図６に例示されるように、仮想リソース・ブロック（ＶＲＢ）インデクスを備えうる。ある態様の場合、送信リソース・ユニットのうちの少なくとも１つのペアの第１のメンバが、ダウンリンク（ＤＬ）リソースの割当を備え、送信リソース・ユニットのうちの少なくとも１つのペアの第２のメンバが、アップリンク（ＵＬ）リソースの許可を備えうる。
【００５９】
７０６では、ノードの制御情報が、送信リソース・ユニットの第２のシーケンスのうちの少なくとも一部（例えば、サブセット）を用いて送信されうる。
【００６０】
前述した動作７００は、図７の対応する機能を実行することが可能な任意の適切な構成要素またはその他の手段によって実行されうる。例えば、図７に例示される動作７００は、図７Ａに例示される構成要素７００Ａに対応する。図７Ａでは、送信リソース・ユニット・アロケータ７０２Ａが、制御情報を伝送するために、送信リソース・ユニットの第１のシーケンスを割り当てうる。前述したように、送信リソース・ユニット再アレンジャ７０４Ａは、送信リソース・ユニットの第２のシーケンスを生成するために、送信リソース・ユニットの第１のシーケンスを再アレンジしうる。送信機７０６Ａ（またはトランシーバ）は、送信リソース・ユニットの第２のシーケンスのうちの少なくとも一部を用いて、ノードの制御情報を送信しうる。
【００６１】
図８は、本開示の態様にしたがって、送信シーケンス・ユニットの再アレンジされたシーケンスから、ノードの制御情報を決定するための動作８００の例のフロー図である。これらの動作８００は、ノードによって実行されうる。ノードは、例えば半デュプレクス・リレー・ノードのようなリレー・ノードを備えうる。
【００６２】
動作８００は、８０２において、ノードの制御情報のために割り当てられた送信リソース・ユニットの第１のシーケンスを受信することによって始まりうる。送信リソース・ユニットの第１のシーケンスは、送信リソース・ユニットの第２のシーケンスのうちの少なくとも一部から再アレンジされている。ここで、第２のシーケンスは（例えば、論理的または周波数において）連続的である。第２のシーケンスからの個々の送信ユニットは、８０２において受信されたように、第１のシーケンス内に（周波数において）物理的に分散されうる。ノードの制御情報は、ＣＲＳベースの、または、ノード特有基準信号ベースのＲ−ＰＤＣＣＨでありうるＲ−ＰＤＣＣＨを備えうる。送信リソース・ユニットは、複数のＰＲＢを備えうる。そして、これらＰＲＢの各々は、１つのＣＣＥとして考慮されうる。
【００６３】
ある態様によれば、第１のシーケンスは、送信リソース・ユニットの１または複数のペアを備えうる。そして、第１のシーケンスにおける送信リソース・ユニットの各ペアについて、ペアの第１のメンバは、ペアの第２のメンバと同じシーケンス・インデクスを有しうる。シーケンス・インデクスは、ＶＲＢインデクスを備えうる。ある態様の場合、送信リソース・ユニットのうちの少なくとも１つのペアの第１のメンバは、ダウンリンク（ＤＬ）リソースの割当を備えうる。そして、送信リソース・ユニットのうちの少なくとも１つのペアの第２のメンバは、アップリンク（ＵＬ）リソースの許可を備えうる。動作８００はさらに、送信リソース・ユニットのうちの少なくとも１つのペアの第２のメンバから、ＵＬリソースの許可を決定することと、ＵＬリソースの許可にしたがってＵＬデータを送信することと、を備えうる。
【００６４】
８０４では、ノードの制御情報が、送信リソース・ユニットの第１のシーケンスから決定されうる。制御情報は、異なる復号候補および異なるフォーマット・サイズのうちの少なくとも１つを用いて決定されうる。ある態様の場合、ノードの制御情報は、２つの異なるダウンリンク制御情報（ＤＣＩ）フォーマット・サイズを有する１つ、２つ、４つ、または８つのＣＣＥを用いて決定されうる。
【００６５】
８０６では、データ（例えば、（Ｒ）−ＰＤＳＣＨデータ）が、制御情報に基づいて発見されうる。ある態様の場合、ダウンリンク（ＤＬ）データが、制御情報が受信されたサブフレームと同じサブフレーム内で、または、後続するサブフレーム内で発見されうる。
【００６６】
前述した動作８００は、図８の対応する機能を実行することが可能な任意の適切な構成要素またはその他の手段によって実行されうる。例えば、図８に例示される動作８００は、図８Ａに例示される構成要素８００Ａに対応する。図８Ａでは、受信機８０２Ａ（またはトランシーバ）が、送信リソース・ユニット８０１Ａのシーケンスを受信しうる。制御情報決定ユニット８０４Ａは、送信リソース・ユニットのシーケンスに基づいて、制御情報を決定しうる。データ・ロケータ８０６Ａは、制御情報決定ユニット８０４Ａから受信された制御情報に基づいてデータを発見しうる。
【００６７】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズ・プラス・ファンクション（means-plus-function）構成要素を有しうる。
【００６８】
例えば、送信する手段は、図２に例示されるような送信機システム２１０の送信機（例えば、送信機２２２）および／またはアンテナ２２４、または、受信機システム２５０の送信機（例えば、送信機２５４）および／またはアンテナ２５２を備えうる。受信する手段は、図２に例示されるような受信機システム２５０の受信機（例えば、受信機２５４）および／またはアンテナ２５２、または、送信機システム２１０の受信機（例えば、受信機２２２）および／またはアンテナ２２４を備えうる。処理する手段、決定する手段、割り当てる手段、再アレンジする手段、または発見する手段は、例えば、図２に例示されるような受信機システム２５０のＲＸデータ・プロセッサ２６０、プロセッサ２７０、および／または、ＴＸデータ・プロセッサ２３８、または、送信機システム２１０のＲＸデータ・プロセッサ２４２、プロセッサ２３０、および／または、ＴＸデータ・プロセッサ２１４のような少なくとも１つのプロセッサを含みうる。
【００６９】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。同伴する方法請求項は、さまざまなステップの要素を、サンプル順で示しており、示された具体的な順序または階層に限定されないことが意味される。
【００７０】
当業者であれば、情報および信号は、さまざまな異なる技術および技法のうちの何れかを用いて表されうることを理解するであろう。例えば、前述した記載を通じて参照されたデータ、命令群、指示、情報、信号、ビット、シンボル、およびチップは、電圧、電流、電磁波、磁場または磁気粒子、光場または光粒子、またはこれらの任意の組み合わせによって表されうる。
【００７１】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７２】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７３】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７４】
開示された実施形態の前述した記載は、当業者が、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
【図１】
2013541254.tif 000003
【図２】
2013541254.tif 000004
【図３】
2013541254.tif 000005
【図４】
2013541254.tif 000006
【図５】
2013541254.tif 000007
【図６】
2013541254.tif 000008
【図７】
2013541254.tif 000009
【図７Ａ】
2013541254.tif 000010
【図８】
2013541254.tif 000011
【図８Ａ】
2013541254.tif 000012
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
無線通信のための方法であって、
ノードの制御情報を伝送するために、送信リソース・ユニットの第１のシーケンスを割り当てることと、ここで、前記第１のシーケンスは連続的である；
前記送信リソース・ユニットの第２のシーケンスを生成するために、前記送信リソース・ユニットの第１のシーケンスを再アレンジすることと、ここで、再アレンジ後に、前記第１のシーケンスから、個々の送信リソース・ユニットが、前記第２のシーケンス内に分散される、ここで、前記第１のシーケンスは、送信リソース・ユニットの１または複数のペアを備え、前記第２のシーケンスにおける送信リソース・ユニットの各ペアについて、ペアの第１のメンバが、ペアの第２のメンバと同じシーケンス・インデクスを有する；
前記送信リソース・ユニットの第２のシーケンスのうちの少なくとも一部を用いて、前記ノードの制御情報を送信することと；
を備える方法。
【請求項２】
前記ノードの制御情報は、中継物理ダウンリンク制御チャネル（Ｒ−ＰＤＣＣＨ）を備える、請求項１に記載の方法。
【請求項３】
前記Ｒ−ＰＤＣＣＨは、共通基準信号（ＣＲＳ）ベースのＲ−ＰＤＣＣＨを備える、請求項２に記載の方法。
【請求項４】
前記Ｒ−ＰＤＣＣＨは、ノード特有基準信号ベースのＲ−ＰＤＣＣＨを備える、請求項２に記載の方法。
【請求項５】
前記送信リソース・ユニットは、物理リソース・ブロック（ＰＲＢ）を備える、請求項１に記載の方法。
【請求項６】
前記ＰＲＢの各々は、１つの制御チャネル要素（ＣＣＥ）として考慮される、請求項５に記載の方法。
【請求項７】
前記ノードの制御情報は、１つ、２つ、４つ、または８つのＣＣＥを備える、請求項６に記載の方法。
【請求項８】
前記再アレンジすることは、周波数分散されたデータのマッピング・スキームに対応する、請求項１に記載の方法。
【請求項９】
前記再アレンジすることは、周波数ダイバーシティまたは周波数選択性を高める、請求項１に記載の方法。
【請求項１０】
前記シーケンス・インデクスが、仮想リソース・ブロック（ＶＲＢ）インデクスを備える、請求項１に記載の方法。
【請求項１１】
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、請求項１に記載の方法。
【請求項１２】
前記ノードは、半デュプレクス・リレー・ノードである、請求項１に記載の方法。
【請求項１３】
無線通信のための装置であって、
ノードの制御情報を伝送するために、送信リソース・ユニットの第１のシーケンスを割り当て、ここで、前記第１のシーケンスは連続的である；
前記送信リソース・ユニットの第２のシーケンスを生成するために、前記送信リソース・ユニットの第１のシーケンスを再アレンジする、ここで、再アレンジ後に、前記第１のシーケンスから、個々の送信リソース・ユニットが、前記第２のシーケンス内に分散される、ここで、前記第１のシーケンスは、送信リソース・ユニットの１または複数のペアを備え、前記再アレンジすることは、前記第２のシーケンスを生成するために、前記第１のシーケンスを再アレンジすることを備え、前記第２のシーケンスにおける送信リソース・ユニットの各ペアについて、ペアの第１のメンバが、ペアの第２のメンバと同じシーケンス・インデクスを有する；
ように構成された処理システムと、
前記送信リソース・ユニットの第２のシーケンスのうちの少なくとも一部を用いて、前記ノードの制御情報を送信するように構成された送信機と、
を備える装置。
【請求項１４】
前記ノードの制御情報は、中継物理ダウンリンク制御チャネル（Ｒ−ＰＤＣＣＨ）を備える、請求項１３に記載の装置。
【請求項１５】
前記Ｒ−ＰＤＣＣＨは、共通基準信号（ＣＲＳ）ベースのＲ−ＰＤＣＣＨを備える、請求項１４に記載の装置。
【請求項１６】
前記Ｒ−ＰＤＣＣＨは、ノード特有基準信号ベースのＲ−ＰＤＣＣＨを備える、請求項１４に記載の装置。
【請求項１７】
前記送信リソース・ユニットは、物理リソース・ブロック（ＰＲＢ）を備える、請求項１３に記載の装置。
【請求項１８】
前記ＰＲＢの各々は、１つの制御チャネル要素（ＣＣＥ）として考慮される、請求項１７に記載の装置。
【請求項１９】
前記ノードの制御情報は、１つ、２つ、４つ、または８つのＣＣＥを備える、請求項１８に記載の装置。
【請求項２０】
前記再アレンジすることは、周波数分散されたデータのマッピング・スキームに対応する、請求項１３に記載の装置。
【請求項２１】
前記再アレンジすることは、周波数ダイバーシティまたは周波数選択性を高める、請求項１３に記載の装置。
【請求項２２】
前記シーケンス・インデクスが、仮想リソース・ブロック（ＶＲＢ）インデクスを備える、請求項１３に記載の装置。
【請求項２３】
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、請求項１３に記載の装置。
【請求項２４】
前記ノードは、半デュプレクス・リレー・ノードである、請求項１３に記載の装置。
【請求項２５】
無線通信のための装置であって、
ノードの制御情報を伝送するために、送信リソース・ユニットの第１のシーケンスを割り当てる手段と、ここで、前記第１のシーケンスは連続的である；
前記送信リソース・ユニットの第２のシーケンスを生成するために、前記送信リソース・ユニットの第１のシーケンスを再アレンジする手段と、ここで、再アレンジ後に、前記第１のシーケンスから、個々の送信リソース・ユニットが、前記第２のシーケンス内に分散される、ここで、前記第１のシーケンスは、送信リソース・ユニットの１または複数のペアを備え、前記再アレンジする手段は、前記第２のシーケンスを生成するために、前記第１のシーケンスを再アレンジするように構成され、前記第２のシーケンスにおける送信リソース・ユニットの各ペアについて、ペアの第１のメンバが、ペアの第２のメンバと同じシーケンス・インデクスを有する；
前記送信リソース・ユニットの第２のシーケンスのうちの少なくとも一部を用いて、前記ノードの制御情報を送信する手段と；
を備える装置。
【請求項２６】
無線通信のためのコンピュータ・プログラム製品であって、
ノードの制御情報を伝送するために、送信リソース・ユニットの第１のシーケンスを割り当てることと、ここで、前記第１のシーケンスは連続的である；
前記送信リソース・ユニットの第２のシーケンスを生成するために、前記送信リソース・ユニットの第１のシーケンスを再アレンジすることと、ここで、再アレンジ後に、前記第１のシーケンスから、個々の送信リソース・ユニットが、前記第２のシーケンス内に分散される、ここで、前記第１のシーケンスは、送信リソース・ユニットの１または複数のペアを備え、前記再アレンジすることは、前記第２のシーケンスを生成するために、前記第１のシーケンスを再アレンジすることを備え、前記第２のシーケンスにおける送信リソース・ユニットの各ペアについて、ペアの第１のメンバが、ペアの第２のメンバと同じシーケンス・インデクスを有する；
前記送信リソース・ユニットの第２のシーケンスのうちの少なくとも一部を用いて、前記ノードの制御情報を送信することと；
のためのコードを備えるコンピュータ読取可能な媒体、
を備えるコンピュータ・プログラム製品。
【請求項２７】
無線通信のための方法であって、
ノードの制御情報のために割り当てられた送信リソース・ユニットの第１のシーケンスを受信することと、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に分散される、前記第１のシーケンスは、送信リソース・ユニットの１または複数のペアを備え、前記第２のシーケンスにおける送信リソース・ユニットの各ペアについて、ペアの第１のメンバが、ペアの第２のメンバと同じシーケンス・インデクスを有する；
前記送信リソース・ユニットの第１のシーケンスから、前記制御情報を決定することと；
前記制御情報に基づいてデータを発見することと；
を備える方法。
【請求項２８】
前記ノードの制御情報は、中継物理ダウンリンク制御チャネル（Ｒ−ＰＤＣＣＨ）を備える、請求項２７に記載の方法。
【請求項２９】
前記Ｒ−ＰＤＣＣＨは、共通基準信号（ＣＲＳ）ベースのＲ−ＰＤＣＣＨを備える、請求項２８に記載の方法。
【請求項３０】
前記Ｒ−ＰＤＣＣＨは、ノード特有基準信号ベースのＲ−ＰＤＣＣＨを備える、請求項２８に記載の方法。
【請求項３１】
前記送信リソース・ユニットは、物理リソース・ブロック（ＰＲＢ）を備える、請求項２７に記載の方法。
【請求項３２】
前記ＰＲＢの各々は、１つの制御チャネル要素（ＣＣＥ）として考慮される、請求項３１に記載の方法。
【請求項３３】
前記決定することは、２つの異なるダウンリンク制御情報（ＤＣＩ）フォーマット・サイズを有する１つ、２つ、４つ、または８つのＣＣＥを用いて前記ノードの制御情報を決定することを備える、請求項３２に記載の方法。
【請求項３４】
前記シーケンス・インデクスが、仮想リソース・ブロック（ＶＲＢ）インデクスを備える、請求項２７に記載の方法。
【請求項３５】
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、請求項２７に記載の方法。
【請求項３６】
前記送信リソース・ユニットのうちの少なくとも１つのペアの第２のメンバから、アップリンク（ＵＬ）リソースの許可を決定することと、
前記ＵＬリソースの許可にしたがってＵＬデータを送信することと、
をさらに備える請求項２７に記載の方法。
【請求項３７】
前記ノードは、半デュプレクス・リレー・ノードである、請求項２７に記載の方法。
【請求項３８】
前記制御情報を決定することは、異なる復号候補および異なるフォーマット・サイズのうちの少なくとも１つを用いて前記制御情報を決定することを備える、請求項２７に記載の方法。
【請求項３９】
前記データを発見することは、ダウンリンク（ＤＬ）データを、前記制御情報が受信されたサブフレームと同じサブフレーム内で、または、後続するサブフレーム内で発見することを備える、請求項２７に記載の方法。
【請求項４０】
無線通信のための装置であって、
前記装置の制御情報のために割り当てられた送信リソース・ユニットの第１のシーケンスを受信するように構成された受信機と、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に分散される、ここで、前記第１のシーケンスは、送信リソース・ユニットの１または複数のペアを備え、前記第２のシーケンスにおける送信リソース・ユニットの各ペアについて、ペアの第１のメンバが、ペアの第２のメンバと同じシーケンス・インデクスを有する；
前記送信リソース・ユニットの第１のシーケンスから、前記制御情報を決定し、前記制御情報に基づいてデータを発見するように構成された処理システムと；
を備える装置。
【請求項４１】
前記装置の制御チャネルは、中継物理ダウンリンク制御チャネル（Ｒ−ＰＤＣＣＨ）を備える、請求項４０に記載の装置。
【請求項４２】
前記Ｒ−ＰＤＣＣＨは、共通基準信号（ＣＲＳ）ベースのＲ−ＰＤＣＣＨを備える、請求項４１に記載の装置。
【請求項４３】
前記Ｒ−ＰＤＣＣＨは、ノード特有基準信号ベースのＲ−ＰＤＣＣＨを備える、請求項４１に記載の装置。
【請求項４４】
前記送信リソース・ユニットは、物理リソース・ブロック（ＰＲＢ）を備える、請求項４０に記載の装置。
【請求項４５】
前記ＰＲＢの各々は、１つの制御チャネル要素（ＣＣＥ）として考慮される、請求項４４に記載の装置。
【請求項４６】
前記処理システムはさらに、２つの異なるダウンリンク制御情報（ＤＣＩ）フォーマット・サイズを有する１つ、２つ、４つ、または８つのＣＣＥを用いて前記装置の制御情報を決定するように構成された、請求項４５に記載の装置。
【請求項４７】
前記シーケンス・インデクスが、仮想リソース・ブロック（ＶＲＢ）インデクスを備える、請求項４０に記載の装置。
【請求項４８】
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、請求項４０に記載の装置。
【請求項４９】
送信機をさらに備え、
前記処理システムは、前記送信リソース・ユニットのうちの少なくとも１つのペアの第２のメンバから、アップリンク（ＵＬ）リソースの許可を決定するように構成され、
前記送信機は、前記ＵＬリソースの許可にしたがってＵＬデータを送信するように構成された、請求項４０に記載の装置。
【請求項５０】
前記装置は、半デュプレクス・リレー・ノードである、請求項４０に記載の装置。
【請求項５１】
前記処理システムは、異なる復号候補および異なるフォーマット・サイズのうちの少なくとも１つを用いて前記制御情報を決定するように構成された、請求項４０に記載の装置。
【請求項５２】
前記処理システムは、ダウンリンク（ＤＬ）データを、前記制御情報が受信されたサブフレームと同じサブフレーム内で、または、後続するサブフレーム内で発見することによって、前記前記データを発見するように構成された、請求項４０に記載の装置。
【請求項５３】
無線通信のための装置であって、
前記装置の制御情報のために割り当てられた送信リソース・ユニットの第１のシーケンスを受信する手段と、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に分散される、前記第１のシーケンスは、送信リソース・ユニットの１または複数のペアを備え、前記第２のシーケンスにおける送信リソース・ユニットの各ペアについて、ペアの第１のメンバが、ペアの第２のメンバと同じシーケンス・インデクスを有する；
前記送信リソース・ユニットの第１のシーケンスから、前記制御情報を決定する手段と；
前記制御情報に基づいてデータを発見する手段と；
を備える装置。
【請求項５４】
無線通信のためのコンピュータ・プログラム製品であって、
ノードの制御情報のために割り当てられた送信リソース・ユニットの第１のシーケンスを受信することと、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に分散される、前記第１のシーケンスは、送信リソース・ユニットの１または複数のペアを備え、前記第２のシーケンスにおける送信リソース・ユニットの各ペアについて、ペアの第１のメンバが、ペアの第２のメンバと同じシーケンス・インデクスを有する；
前記送信リソース・ユニットの第１のシーケンスから、前記制御情報を決定することと；
前記制御情報に基づいてデータを発見することと；
のためのコードを備えるコンピュータ読取可能な媒体を備える、
コンピュータ・プログラム製品。
【手続補正２】
【補正対象書類名】明細書
【補正対象項目名】００７４
【補正方法】変更
【補正の内容】
【００７４】
開示された実施形態の前述した記載は、当業者が、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
以下に、本願出願の当初の特許請求の範囲に記載された発明を付記する。
［Ｃ１］
無線通信のための方法であって、
ノードの制御情報を伝送するために、送信リソース・ユニットの第１のシーケンスを割り当てることと、ここで、前記第１のシーケンスは連続的である；
前記送信リソース・ユニットの第２のシーケンスを生成するために、前記送信リソース・ユニットの第１のシーケンスを再アレンジすることと、ここで、再アレンジ後に、前記第１のシーケンスから、個々の送信リソース・ユニットが、前記第２のシーケンス内に物理的に分散される；
前記送信リソース・ユニットの第２のシーケンスのうちの少なくとも一部を用いて、前記ノードの制御情報を送信することと；
を備える方法。
［Ｃ２］
前記ノードの制御情報は、中継物理ダウンリンク制御チャネル（Ｒ−ＰＤＣＣＨ）を備える、Ｃ１に記載の方法。
［Ｃ３］
前記Ｒ−ＰＤＣＣＨは、共通基準信号（ＣＲＳ）ベースのＲ−ＰＤＣＣＨを備える、Ｃ２に記載の方法。
［Ｃ４］
前記Ｒ−ＰＤＣＣＨは、ノード特有基準信号ベースのＲ−ＰＤＣＣＨを備える、Ｃ２に記載の方法。
［Ｃ５］
前記送信リソース・ユニットは、物理リソース・ブロック（ＰＲＢ）を備える、Ｃ１に記載の方法。
［Ｃ６］
前記ＰＲＢの各々は、１つの制御チャネル要素（ＣＣＥ）として考慮される、Ｃ５に記載の方法。
［Ｃ７］
前記ノードの制御情報は、１つ、２つ、４つ、または８つのＣＣＥを備える、Ｃ６に記載の方法。
［Ｃ８］
前記再アレンジすることは、周波数分散されたデータのマッピング・スキームに対応する、Ｃ１に記載の方法。
［Ｃ９］
前記再アレンジすることは、周波数ダイバーシティまたは周波数選択性を高める、Ｃ１に記載の方法。
［Ｃ１０］
前記第１のシーケンスは、送信リソース・ユニットの１または複数のペアを備え、
前記再アレンジすることは、前記第２のシーケンスを生成するために、前記第１のシーケンスを再アレンジすることを備え、
前記第２のシーケンスにおける送信リソース・ユニットの各ペアについて、ペアの第１のメンバが、ペアの第２のメンバと同じシーケンス・インデクスを有する、Ｃ１に記載の方法。
［Ｃ１１］
前記シーケンス・インデクスが、仮想リソース・ブロック（ＶＲＢ）インデクスを備える、Ｃ１０に記載の方法。
［Ｃ１２］
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、Ｃ１０に記載の方法。
［Ｃ１３］
前記ノードは、半デュプレクス・リレー・ノードである、Ｃ１に記載の方法。
［Ｃ１４］
無線通信のための装置であって、
ノードの制御情報を伝送するために、送信リソース・ユニットの第１のシーケンスを割り当て、ここで、前記第１のシーケンスは連続的である；
前記送信リソース・ユニットの第２のシーケンスを生成するために、前記送信リソース・ユニットの第１のシーケンスを再アレンジする、ここで、再アレンジ後に、前記第１のシーケンスから、個々の送信リソース・ユニットが、前記第２のシーケンス内に物理的に分散される；
ように構成された処理システムと、
前記送信リソース・ユニットの第２のシーケンスのうちの少なくとも一部を用いて、前記ノードの制御情報を送信するように構成された送信機と、
を備える装置。
［Ｃ１５］
前記ノードの制御情報は、中継物理ダウンリンク制御チャネル（Ｒ−ＰＤＣＣＨ）を備える、Ｃ１４に記載の装置。
［Ｃ１６］
前記Ｒ−ＰＤＣＣＨは、共通基準信号（ＣＲＳ）ベースのＲ−ＰＤＣＣＨを備える、Ｃ１５に記載の装置。
［Ｃ１７］
前記Ｒ−ＰＤＣＣＨは、ノード特有基準信号ベースのＲ−ＰＤＣＣＨを備える、Ｃ１５に記載の装置。
［Ｃ１８］
前記送信リソース・ユニットは、物理リソース・ブロック（ＰＲＢ）を備える、Ｃ１４に記載の装置。
［Ｃ１９］
前記ＰＲＢの各々は、１つの制御チャネル要素（ＣＣＥ）として考慮される、Ｃ１８に記載の装置。
［Ｃ２０］
前記ノードの制御情報は、１つ、２つ、４つ、または８つのＣＣＥを備える、Ｃ１９に記載の装置。
［Ｃ２１］
前記再アレンジすることは、周波数分散されたデータのマッピング・スキームに対応する、Ｃ１４に記載の装置。
［Ｃ２２］
前記再アレンジすることは、周波数ダイバーシティまたは周波数選択性を高める、Ｃ１４に記載の装置。
［Ｃ２３］
前記第１のシーケンスは、送信リソース・ユニットの１または複数のペアを備え、
前記再アレンジすることは、前記第２のシーケンスを生成するために、前記第１のシーケンスを再アレンジすることを備え、
前記第２のシーケンスにおける送信リソース・ユニットの各ペアについて、ペアの第１のメンバが、ペアの第２のメンバと同じシーケンス・インデクスを有する、Ｃ１４に記載の装置。
［Ｃ２４］
前記シーケンス・インデクスが、仮想リソース・ブロック（ＶＲＢ）インデクスを備える、Ｃ２３に記載の装置。
［Ｃ２５］
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、Ｃ２３に記載の装置。
［Ｃ２６］
前記ノードは、半デュプレクス・リレー・ノードである、Ｃ１４に記載の装置。
［Ｃ２７］
無線通信のための装置であって、
ノードの制御情報を伝送するために、送信リソース・ユニットの第１のシーケンスを割り当てる手段と、ここで、前記第１のシーケンスは連続的である；
前記送信リソース・ユニットの第２のシーケンスを生成するために、前記送信リソース・ユニットの第１のシーケンスを再アレンジする手段と、ここで、再アレンジ後に、前記第１のシーケンスから、個々の送信リソース・ユニットが、前記第２のシーケンス内に物理的に分散される；
前記送信リソース・ユニットの第２のシーケンスのうちの少なくとも一部を用いて、前記ノードの制御情報を送信する手段と；
を備える装置。
［Ｃ２８］
無線通信のためのコンピュータ・プログラム製品であって、
ノードの制御情報を伝送するために、送信リソース・ユニットの第１のシーケンスを割り当てることと、ここで、前記第１のシーケンスは連続的である；
前記送信リソース・ユニットの第２のシーケンスを生成するために、前記送信リソース・ユニットの第１のシーケンスを再アレンジすることと、ここで、再アレンジ後に、前記第１のシーケンスから、個々の送信リソース・ユニットが、前記第２のシーケンス内に物理的に分散される；
前記送信リソース・ユニットの第２のシーケンスのうちの少なくとも一部を用いて、前記ノードの制御情報を送信することと；
のためのコードを備えるコンピュータ読取可能な媒体、
を備えるコンピュータ・プログラム製品。
［Ｃ２９］
無線通信のための方法であって、
ノードの制御情報のために割り当てられた送信リソース・ユニットの第１のシーケンスを受信することと、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に物理的に分散される；
前記送信リソース・ユニットの第１のシーケンスから、前記制御情報を決定することと；
前記制御情報に基づいてデータを発見することと；
を備える方法。
［Ｃ３０］
前記ノードの制御情報は、中継物理ダウンリンク制御チャネル（Ｒ−ＰＤＣＣＨ）を備える、Ｃ２９に記載の方法。
［Ｃ３１］
前記Ｒ−ＰＤＣＣＨは、共通基準信号（ＣＲＳ）ベースのＲ−ＰＤＣＣＨを備える、Ｃ３０に記載の方法。
［Ｃ３２］
前記Ｒ−ＰＤＣＣＨは、ノード特有基準信号ベースのＲ−ＰＤＣＣＨを備える、Ｃ３０に記載の方法。
［Ｃ３３］
前記送信リソース・ユニットは、物理リソース・ブロック（ＰＲＢ）を備える、Ｃ２９に記載の方法。
［Ｃ３４］
前記ＰＲＢの各々は、１つの制御チャネル要素（ＣＣＥ）として考慮される、Ｃ３３に記載の方法。
［Ｃ３５］
前記決定することは、２つの異なるダウンリンク制御情報（ＤＣＩ）フォーマット・サイズを有する１つ、２つ、４つ、または８つのＣＣＥを用いて前記ノードの制御情報を決定することを備える、Ｃ３４に記載の方法。
［Ｃ３６］
前記第１のシーケンスは、送信リソース・ユニットの１または複数のペアを備え、
前記第１のシーケンスにおける送信リソース・ユニットの各ペアについて、ペアの第１のメンバが、ペアの第２のメンバと同じシーケンス・インデクスを有する、Ｃ２９に記載の方法。
［Ｃ３７］
前記シーケンス・インデクスが、仮想リソース・ブロック（ＶＲＢ）インデクスを備える、Ｃ３６に記載の方法。
［Ｃ３８］
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、Ｃ３６に記載の方法。
［Ｃ３９］
前記送信リソース・ユニットのうちの少なくとも１つのペアの第２のメンバから、アップリンク（ＵＬ）リソースの許可を決定することと、
前記ＵＬリソースの許可にしたがってＵＬデータを送信することと、
をさらに備えるＣ３６に記載の方法。
［Ｃ４０］
前記ノードは、半デュプレクス・リレー・ノードである、Ｃ２９に記載の方法。
［Ｃ４１］
前記制御情報を決定することは、異なる復号候補および異なるフォーマット・サイズのうちの少なくとも１つを用いて前記制御情報を決定することを備える、Ｃ２９に記載の方法。
［Ｃ４２］
前記データを発見することは、ダウンリンク（ＤＬ）データを、前記制御情報が受信されたサブフレームと同じサブフレーム内で、または、後続するサブフレーム内で発見することを備える、Ｃ２９に記載の方法。
［Ｃ４３］
無線通信のための装置であって、
前記装置の制御情報のために割り当てられた送信リソース・ユニットの第１のシーケンスを受信するように構成された受信機と、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に物理的に分散される；
前記送信リソース・ユニットの第１のシーケンスから、前記制御情報を決定し、前記制御情報に基づいてデータを発見するように構成された処理システムと；
を備える装置。
［Ｃ４４］
前記装置の制御チャネルは、中継物理ダウンリンク制御チャネル（Ｒ−ＰＤＣＣＨ）を備える、Ｃ４３に記載の装置。
［Ｃ４５］
前記Ｒ−ＰＤＣＣＨは、共通基準信号（ＣＲＳ）ベースのＲ−ＰＤＣＣＨを備える、Ｃ４４に記載の装置。
［Ｃ４６］
前記Ｒ−ＰＤＣＣＨは、ノード特有基準信号ベースのＲ−ＰＤＣＣＨを備える、Ｃ４４に記載の装置。
［Ｃ４７］
前記送信リソース・ユニットは、物理リソース・ブロック（ＰＲＢ）を備える、Ｃ４３に記載の装置。
［Ｃ４８］
前記ＰＲＢの各々は、１つの制御チャネル要素（ＣＣＥ）として考慮される、Ｃ４７に記載の装置。
［Ｃ４９］
前記処理システムはさらに、２つの異なるダウンリンク制御情報（ＤＣＩ）フォーマット・サイズを有する１つ、２つ、４つ、または８つのＣＣＥを用いて前記装置の制御情報を決定するように構成された、Ｃ４８に記載の装置。
［Ｃ５０］
前記第１のシーケンスは、送信リソース・ユニットの１または複数のペアを備え、
前記第１のシーケンスにおける送信リソース・ユニットの各ペアについて、ペアの第１のメンバが、ペアの第２のメンバと同じシーケンス・インデクスを有する、Ｃ４３に記載の装置。
［Ｃ５１］
前記シーケンス・インデクスが、仮想リソース・ブロック（ＶＲＢ）インデクスを備える、Ｃ５０に記載の装置。
［Ｃ５２］
前記送信リソース・ユニットのうちの少なくとも１つのペアの第１のメンバが、ダウンリンク（ＤＬ）リソースの割当を備え、
前記送信リソース・ユニットのうちの少なくとも１つのペアの第２のメンバが、アップリンク（ＵＬ）リソースの許可を備える、Ｃ５０に記載の装置。
［Ｃ５３］
送信機をさらに備え、
前記処理システムは、前記送信リソース・ユニットのうちの少なくとも１つのペアの第２のメンバから、アップリンク（ＵＬ）リソースの許可を決定するように構成され、
前記送信機は、前記ＵＬリソースの許可にしたがってＵＬデータを送信するように構成された、Ｃ５０に記載の装置。
［Ｃ５４］
前記装置は、半デュプレクス・リレー・ノードである、Ｃ４３に記載の装置。
［Ｃ５５］
前記処理システムは、異なる復号候補および異なるフォーマット・サイズのうちの少なくとも１つを用いて前記制御情報を決定するように構成された、Ｃ４３に記載の装置。
［Ｃ５６］
前記処理システムは、ダウンリンク（ＤＬ）データを、前記制御情報が受信されたサブフレームと同じサブフレーム内で、または、後続するサブフレーム内で発見することによって、前記前記データを発見するように構成された、Ｃ４３に記載の装置。
［Ｃ５７］
無線通信のための装置であって、
前記装置の制御情報のために割り当てられた送信リソース・ユニットの第１のシーケンスを受信する手段と、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に物理的に分散される；
前記送信リソース・ユニットの第１のシーケンスから、前記制御情報を決定する手段と；
前記制御情報に基づいてデータを発見する手段と；
を備える装置。
［Ｃ５８］
無線通信のためのコンピュータ・プログラム製品であって、
ノードの制御情報のために割り当てられた送信リソース・ユニットの第１のシーケンスを受信することと、ここで、前記送信リソース・ユニットの第１のシーケンスは、前記送信リソース・ユニットの第２のシーケンスのうちの少なくとも一部から再アレンジされており、前記第２のシーケンスは連続的であり、前記第２のシーケンスからの個々の送信リソース・ユニットは、受信されたように、前記第１のシーケンス内に物理的に分散される；
前記送信リソース・ユニットの第１のシーケンスから、前記制御情報を決定することと；
前記制御情報に基づいてデータを発見することと；
のためのコードを備えるコンピュータ読取可能な媒体を備える、
コンピュータ・プログラム製品。
【国際調査報告】
2013541254.tif 000013
2013541254.tif 000014
2013541254.tif 000015
2013541254.tif 000016